(57)【要約】【課題】  動作状態を撮影状態から設定状態に切り換えなくとも、撮影時の撮影感度を容易に変更する。【解決手段】  撮影時の露出条件のうち、少なくとも撮影感度を一操作で変更可能な感度変更部材を備えたことを特徴とする。撮影感度は、撮影時に用いられる上限として、異なる値からなる第１上限と第２上限のいずれかが設定されており、感度変更部材を操作することで、撮影感度の上限が第１上限と第２上限との間で変更されることが好ましい。また、撮影感度は、撮影時に用いられる変動範囲として、異なる変動範囲からなる第１変動範囲と第２変動範囲とを備えており、感度変更部材を操作することで、撮影感度の変動範囲が第１変動範囲と第２変動範囲との間で切り換えられることが好ましい。【選択図】    図２
2009188879.tif 000002
【特許請求の範囲】
【請求項１】
撮影時の露出条件のうち、少なくとも撮影感度を一操作で変更可能な感度変更部材を備えたことを特徴とするデジタルカメラ。
【請求項２】
請求項１記載のデジタルカメラにおいて、
前記撮影感度は、撮影時に用いられる上限として、異なる値からなる第１上限と第２上限とのいずれか一方が予め設定されており、
前記感度変更部材を操作することで、前記撮影感度の上限が前記第１上限と前記第２上限との間で変更されることを特徴とするデジタルカメラ。
【請求項３】
請求項１又は２記載のデジタルカメラにおいて、
前記撮影感度は、撮影時に用いられる変動範囲として、異なる範囲からなる第１変動範囲と第２変動範囲とのいずれか一方が予め設定されており、
前記感度変更部材を操作することで、前記撮影感度の変動範囲が前記第１変動範囲と前記第２変動範囲との間で変更されることを特徴とするデジタルカメラ。
【請求項４】
請求項１〜３のいずれか１項に記載のデジタルカメラにおいて、
前記感度変更部材は、操作時に実行される機能が予め割り当てることが可能な操作部材からなることを特徴とするデジタルカメラ。
【請求項５】
請求項１〜３のいずれか１項に記載のデジタルカメラにおいて、
前記感度変更部材は、撮影時のシャッター速度を変更する際に操作されるシャッター速度変更部材からなり、
前記シャッター速度変更部材の操作による前記シャッター速度の変更に併せて、前記撮影感度の設定が変更されることを特徴とするデジタルカメラ。
【発明の詳細な説明】
【技術分野】
【０００１】
本発明は、撮影時の撮影感度を変更することができるデジタルカメラに関する。
【背景技術】
【０００２】
デジタルカメラにおいては、撮影時における撮影感度をユーザが設定できるようになっている。また、近年のデジタルカメラにおいては、撮影時における手ブレを防止するために、撮影時の撮影感度を自動制御して、撮影時の露光時間や絞り値を変更するものが提供されている。なお、撮影時の露光時間の変更としては、例えばシャッター速度の変更や、撮像素子における電荷蓄積時間の変更が挙げられる。
【特許文献１】特開２００５−３４１０７４号公報
【特許文献２】特開２００７−２９５２８１号公報
【発明の開示】
【発明が解決しようとする課題】
【０００３】
ところで、上述したデジタルカメラにおいては、非撮影時に、例えばデジタルカメラの動作状態を撮影状態から設定状態に切り換えた上で、撮影時における撮影感度を設定することが可能となっている。このように撮影時の撮影感度を新たに設定するためには、デジタルカメラの動作状態を設定状態に切り換えてから撮影時の撮影感度を設定するなど、撮影感度の設定までに複数の操作を行う必要があることから、その設定操作中にユーザが意図する撮影タイミングとなる場合には、その撮影タイミングを逃してしまうことになる。
【課題を解決するための手段】
【０００４】
本発明は、上述した課題を解決するために発明されたものであり、動作状態を撮影状態から設定状態に切り換えなくとも、撮影時の撮影感度を容易に変更することができるようした撮像装置を提供することを目的とする。
【０００５】
第１の発明のデジタルカメラは、撮影時の露出条件のうち、少なくとも撮影感度を一操作で変更可能な感度変更部材を備えたことを特徴とする。
【０００６】
第２の発明は、第１の発明において、前記撮影感度は、撮影時に用いられる上限として、異なる値からなる第１上限と第２上限とのいずれか一方が予め設定されており、前記感度変更部材を操作することで、前記撮影感度の上限が前記第１上限と前記第２上限との間で変更されることを特徴とする。
【０００７】
第３の発明は、第１又は第２の発明において、前記撮影感度は、撮影時に用いられる変動範囲として、異なる範囲からなる第１変動範囲と第２変動範囲とのいずれか一方が予め設定されており、前記感度変更部材を操作することで、前記撮影感度の変動範囲が前記第１変動範囲と前記第２変動範囲との間で変更されることを特徴とする。
【０００８】
第４の発明は、第１〜第３の発明のいずれかにおいて、前記感度変更部材は、操作時に実行される機能が予め割り当てることが可能な操作部材からなることを特徴とする。
【０００９】
第５の発明は、第１〜第３の発明のいずれかにおいて、前記感度変更部材は、撮影時のシャッター速度を変更する際に操作される速度変更部材からなり、前記速度変更部材の操作による前記シャッター速度の変更に同期して、前記撮影感度が変更されることを特徴とする。
【発明の効果】
【００１０】
本発明によれば、撮影時にデジタルカメラの動作状態を変更しなくとも、感度変更操作部材を操作するだけで容易に撮影感度を変更でき、撮影感度を瞬時に切り換えて撮影を行うことができる。また、動きが変化する被写体を撮影する場合において、シャッター速度を変更することで撮影感度が変更できることから、撮影タイミングを逃すことなく、被写体の動きに合わせて撮影を行うことも可能となる。
【発明を実施するための最良の形態】
【００１１】
図１は、デジタルカメラ１０の一例を示す機能ブロック図である。デジタルカメラ１０は、周知のように、撮像光学系１５を透過した被写体光を撮像素子１６によって光電変換し、光電変換後の電気信号から画像データを取得する。
【００１２】
撮像光学系１５は、撮影レンズ２０と、ズームレンズやフォーカスレンズなどを含むレンズ群２１とを備えている。レンズ群２１に含まれるズームレンズは選択された撮像倍率となるように光軸Ｌに沿って移動する。また、フォーカスレンズは被写体画像の焦点調節の際に光軸Ｌに沿って微小移動する。なお、このレンズ群２１は、レンズ駆動機構２２によって駆動制御される。
【００１３】
絞り２３は、被写体光が通過する開口（図示省略）を有しており、開口の大きさを変化させることで、撮像素子に入射される被写体光の光量を調整する。この絞り２３は、絞り駆動回路２４によって駆動制御され、上述した開口の大きさを変化させる。
【００１４】
シャッター２５は、被写体光の光路を開放したときに、被写体光を撮像素子の受光面に結像させる。このシャッター２５は、シャッター駆動回路２６により駆動制御される。このシャッター２５による被写体光の光路を開放する時間（開放時間＝シャッター速度）を制御することによって、撮像素子にて受光される被写体光の受光量が制御される。なお、本実施形態では、機械式のシャッターを用いているが、これに限定される必要はなく、撮像素子１６の電荷蓄積時間を制御する、いわゆる電子シャッターを用いることも可能である。
【００１５】
撮像素子１６は、例えばＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）などが用いられ、シャッター２５の開放時に照射される被写体光を受光し、受光した光量に応じた信号電荷を蓄積する。この撮像素子１６は、ドライバ２７によって駆動制御される。詳細には、例えばシャッター２５の開放が終了されると、撮像素子１６は、は、蓄積した信号電荷をＡＦＥ（Ａｎａｌｏｇ  Ｆｒｏｎｔ  Ｅｎｄ）回路３０に出力するように駆動制御される。なお、撮像素子１６によって蓄積された信号電荷を、以下では、アナログ画像信号と称して説明する。
【００１６】
このＡＦＥ回路３０は、図示しないＡＧＣ回路やＣＤＳ回路を含んで構成される。ＡＦＥ回路３０は、入力されたアナログ画像信号に対してゲインコントロール、雑音除去などのアナログ処理を施す。
【００１７】
ＤＦＥ（Ｄｉｇｉｔａｌ  Ｆｒｏｎｔ  Ｅｎｄ）回路３１は、ＡＦＥ回路３０によってアナログ処理が施されたアナログ画像信号をデジタル画像信号に変換する。変換されたデジタル画像信号は１コマ毎にまとめられ、デジタル画像データとしてバッファメモリ３２に記憶される。なお、ドライバ２７、ＡＦＥ回路３０及びＤＦＥ回路３１は、それぞれタイミングジェネレータ（ＴＧ）３３における作動タイミングに基づいて制御される。また、符号３４はバスであり、このバス３４を介してデジタルカメラ１０の各部が電気的に接続される。
【００１８】
画像処理部３５は、バッファメモリ３２に記憶されたデジタル画像データに対して、輪郭補償、ガンマ補正、ホワイトバランス調整などの画像処理を施す。また、画像処理の際に、高感度ノイズに対するノイズリダクション（ＮＲ）処理（以下、高感度ＮＲ処理と称する）も実行される。高感度ノイズは、撮影感度が高い状態で撮影された画像に発生するノイズを低減する処理である。これら画像処理が施されたデジタル画像データは例えばＪＰＥＧ方式などの記憶方式で圧縮するためのフォーマット処理（画像後処理）が施された後、再度バッファメモリ３２に記憶される。このバッファメモリ３２に記憶されたデジタル画像データは、所定の圧縮方式に対応する圧縮率を用いて圧縮処理される。
【００１９】
例えばデジタルカメラ１０に設けられたＬＣＤ３６にスルー画像を表示する場合には、画像処理後のデジタル画像データに対して、ＬＣＤ３６の解像度に合わせた圧縮率を用いて圧縮処理を実行し、表示制御部３７に出力する。
【００２０】
一方、デジタル画像データを記憶する場合には、画像記憶用に合わせた圧縮率を用いた圧縮処理が施され、内蔵メモリ３８に記憶される。この内蔵メモリ３８に格納されたデジタル画像データは、メディアコントローラ３９を介して、メモリカードや光学ディスクなどの記憶媒体４０に書き込まれる。なお、画像記憶用に合わせた圧縮率としては、予めデジタルカメラ１０において設定される画像記憶用の解像度に合わせた圧縮率の他、予めユーザが操作部４６を操作することにより設定した解像度に合わせた圧縮率が挙げられる。
【００２１】
測光センサ４２は、レリーズボタン４７が操作されたときに作動し、被写体の明るさ（被写体輝度）を検出する。
【００２２】
ストロボ装置４３は、測光センサ４２により検出された被写体輝度が所定値以下となる場合に、被写体に向けてストロボ光を照射する。なお、このストロボ装置４３は、ストロボ制御部４４により作動制御される。
【００２３】
操作部４６は、例えば撮像時のモード選択や、撮影時の設定を変更する場合に操作される。なお、撮像時の設定としては、上述した撮影感度の設定や、上述した高輝度ＮＲ処理の有無の設定等が挙げられる。なお、撮影感度の設定としては、例えばオート撮影時における撮影感度の変動範囲や撮影感度の上限などの設定が挙げられる。また、高輝度ＮＲ処理の設定としては、高輝度ＮＲ処理の有無の設定、高感度ＮＲ処理の有の場合には高感度ＮＲ処理が実行される撮影感度の設定、及び高輝度ＮＲ処理自体の設定（例えば強弱）等が挙げられる。この操作部４６が操作されると、操作部４６からの操作信号がＣＰＵ５０に逐次出力される。
【００２４】
レリーズボタン４７は、撮影する際に操作されるボタンである。このレリーズボタン４７を操作すると、被写体輝度の測光処理、ＡＥ処理、ＡＦ処理などが実行された後、撮影処理が実行される。
【００２５】
ファンクションボタン４８は、デジタルカメラ１０に設けられる機能のいずれかを一操作で実行できるように、該機能が割り振られたボタンである。本実施形態では、このファンクションボタン４８には、撮影感度を切り換える機能が割り振られ、その操作（例えば押圧操作）により撮影感度の設定が、例えば設定１と設定２との間で変更される。なお、ファンクションボタン４８の操作としては、例えば押圧操作された場合に撮影感度の設定が変更される他に、ファンクションボタン４８を押圧操作しているときにのみ撮影感度の設定が変更されるようにしてもよい。また、撮影感度の設定として、設定１と設定２との２通りとしているが、これに限定する必要はなく、撮影感度の設定として、３通り以上の設定があってもよい。
【００２６】
ＣＰＵ５０は、デジタルカメラ１０の各部を統括的に制御する。このＣＰＵ５０は、図示しない制御プログラムを実行することで、ＡＥ処理部５１、ＡＦ処理部５２の機能を備えている。
【００２７】
ＡＥ処理部５１は、測光センサ４５の出力信号から撮像時の露出量を求めた後、絞り値、シャッター速度、及び撮像素子の制御感度値などの撮影時の露出条件を決定する。まず、絞り値が最大となるときのシャッター速度を求め、シャッター速度と予め設定されたシャッター速度の下限との比較を行う。算出されたシャッター速度が、シャッター速度の下限よりも遅くなる場合には絞り値を下げ、再度シャッター速度を算出する。絞り値を最小値まで下げても得られるシャッター速度がシャッター速度の下限値よりも遅くなる場合には、撮影感度を上げ、再度、上述した方法で絞り値とシャッター速度とを算出する。なお、シャッター速度の下限は、撮影感度の値に合わせて予め設定されている。
【００２８】
ＡＦ処理部５２は、入力される画像信号からＡＦ制御に必要な物理量を算出する。例えば入力された画像信号から、画像の鮮鋭度を示す焦点評価値を算出する。この算出される焦点評価値が最大となるようにレンズ駆動機構２２を介してフォーカスレンズの移動を制御する。
【００２９】
次に、撮影時の流れについて図２に示すフローチャートに基づいて説明する。以下では、予め撮影感度の上限が複数設定されている場合（以下、撮影感度の設定を設定１、設定２とする）について説明する。
【００３０】
ステップＳ１０１は、ファンクションボタン４８が操作されたか否かを判定する処理である。このステップＳ１０１における処理で、ファンクションボタン４８が操作されたと判定された（ステップＳ１０１の処理がＹｅｓとなる）場合には、ステップＳ１０２に進む。一方、ファンクションボタン４８が操作されていないと判定された（ステップＳ１０１の処理がＹｅｓとなる）場合にはステップＳ１０５に進む。
【００３１】
ステップＳ１０２は、ステップＳ１０１における判定でファンクションボタン４８が操作されたと判定された場合に実行される処理である。このステップＳ１０２の処理は、デジタルカメラ１０における撮影感度の設定が設定１であるか否かを判定する処理である。撮影感度の設定が設定１である（ステップＳ１０２の判定がＹｅｓとなる場合）には、ステップＳ１０３に進む。一方、撮影感度の設定が設定１でない（ステップＳ１０２の判定がＮｏとなる場合）には、ステップＳ１０４に進む。
【００３２】
ステップＳ１０３は、ステップＳ１０２における判定で、撮影感度の設定が設定１となる場合に行われる処理であり、詳細には、撮影感度の設定を設定１から設定２に変更する処理である。
【００３３】
ステップＳ１０４は、ステップＳ１０２における判定で、撮影感度の設定が設定１でない場合に行われる処理である。撮影感度の設定は、設定１、設定２の２通りしかないことから、ステップＳ１０２における判定で、撮影感度の設定が設定１でなければ、撮影感度野設定は設定２であることから、このステップＳ１０４では、撮影感度の設定を設定２から設定１に変更する。
【００３４】
ステップＳ１０５は、レリーズボタン４７が操作されたか否かを判定する処理である。この判定で、レリーズボタン４７が操作されたことが判定された（ステップＳ１０５の処理がＹｅｓとなる）場合には、ステップＳ１０６に進む。一方、レリーズボタン４７が操作されていないと判定された場合（ステップＳ１０５の処理がＮｏとなる）場合には、撮影処理が行われないまま待機状態となる。
【００３５】
ステップＳ１０６は、撮影前処理である。この撮影前処理は、測光センサ４５によって被写体輝度が測定された後、測定された被写体輝度を用いたＡＥ処理が実行される。このＡＥ処理においては、設定されている撮影感度の設定が用いられ、絞り値、シャッター速度、及び撮影感度がそれぞれ決定される。これらＡＥ処理が実行された後、ＡＦ処理が実行されフォーカスレンズの位置を決定する。
【００３６】
ステップＳ１０７は、ステップＳ１０６におけるＡＥ処理で決定された絞り値、シャッター速度及び撮影感度を用いた撮像処理である。
【００３７】
これにより、デジタルカメラ１０における撮影感度の設定がファンクションボタン４８の操作のみで変更することができるので、撮影感度を変更する際に要する操作を最小限に抑えることができ、ユーザが意図する撮影タイミングを逃すことなく、撮影を行うことが可能となる。
【００３８】
以下では、ファンクションボタン４８の操作によって変更される撮影感度の設定についての具体的な実施例を示す。なお、以下に示す実施例については、撮影感度がＩＳＯ１００〜ＩＳＯ６４００のいずれかを用いて撮影を行うことができるデジタルカメラについて説明する。また、設定１のときの撮影感度をＳ１、設定２のときの撮影感度をＳ２と称して説明する。
【００３９】
［実施例１］
実施例１は、ファンクションボタン４８の操作により撮影感度の上限を変更する場合について説明する。図３に示すように、設定１における撮影感度Ｓ１の上限をＩＳＯ４００とし、設定２における撮影感度Ｓ２の上限を最大撮影感度となるＩＳＯ６４００とする。つまり、撮影感度の設定が設定１の場合には、撮影感度Ｓ１の変動範囲はＩＳＯ１００≦Ｓ１≦ＩＳＯ４００となり、撮影感度が設定２の場合には、撮影感度Ｓ２の変動範囲はＩＳＯ１００≦Ｓ２≦ＩＳＯ６４００となる。なお、設定２における撮影感度Ｓ２の上限は、最大撮影感度ＩＳＯ６４００に限定される必要はなく、設定１における撮影感度Ｓ１の上限と同一でなければよいものとする。
【００４０】
上述したように、設定１における撮影感度Ｓ１の上限はＩＳＯ４００であり、設定２における撮影感度Ｓ２の上限はＩＳＯ６４００であることから、ファンクションボタン４８を操作して、撮影感度の設定を設定１から設定２に変更すると、撮影感度の上限がＩＳＯ６４００に引き上げられる。このように、撮影感度の上限が引き上げられることで、撮影時のシャッター速度を上げることができるので、画質は低下するが、手ブレによる影響を抑制した画像を取得する場合に適している。
【００４１】
一方、撮影感度の設定を設定２から設定１に変更した場合には、撮影感度の上限がＩＳＯ４００に引き下げられる。撮影感度が引き下げられることで、シャッター速度が所定速度以下での撮影、つまり露光時間が長い条件下での撮影となるので、手ブレによる影響を抑制することはできないが、画質の低下を防止した画像を取得する場合に適している。
【００４２】
この場合、撮影感度の上限を変更するだけで、撮影感度の下限は変更されないことから、シャッター速度を優先しない撮影を行う場合には、予め設定２にしておけばよいことになる。なお、各設定の撮影感度の上限に合わせてシャッター速度の下限が予め設定されていることから、ＡＥ処理においては、撮影時のシャッター速度が、撮影時の設定におけるシャッター速度の下限を下回らないように、シャッター速度、絞り値、撮影感度がそれぞれ決定される。これにより、撮影感度の設定を変更することで、ユーザの意図した露出条件下での撮影を容易に選択できることになる。
【００４３】
また、ファンクションボタン４８の操作によって撮影感度の設定を変更しただけでは、適切な露出条件を得られない場合がある。図４に示すように、設定１における撮影感度Ｓ１の上限がＩＳＯ４００、設定２における撮影感度Ｓ２の上限がＩＳＯ８００となる場合、撮影時の環境によっては、各設定の撮影感度を上限まで引き上げても、適正な露出条件が得られないときには、設定１、設定２を利用せずに、例えば撮影感度の上限をＩＳＯ３２００まで引き上げた上で、適切な露出条件が得られるように、シャッター速度、絞り値及び撮影感度を決定することも可能である。
【００４４】
［実施例２］
実施例２は、ファンクションボタン４８の操作により撮影感度の変動範囲を変更する場合について説明する。図５に示すように、設定１における撮影感度Ｓ１の変動範囲をＩＳＯ１００≦Ｓ１≦ＩＳＯ４００とし、設定２における撮影感度Ｓ２の変動範囲をＩＳＯ４００＜Ｓ２≦ＩＳＯ６４００とする。
【００４５】
ファンクションボタン４８を操作して、撮影感度の設定を設定１から設定２に変更した場合には、撮影感度Ｓ２の変動範囲はＩＳＯ４００＜Ｓ２≦ＩＳＯ６４００に変更される。設定２の場合には、撮影感度が高い変動範囲を用いた撮影となることから、撮影時のシャッター速度は速くなる。この設定２を用いて撮影を行った場合には、画質は低下するが、手ブレによる影響を抑制した画像を取得する場合に適している。
【００４６】
一方、設定２から設定１に変更した場合には、撮影感度の変動範囲はＩＳＯ１００≦Ｓ１≦ＩＳＯ４００に変更される。設定１の場合には、撮影感度が低い変動範囲を用いた撮影となることから、撮影時のシャッター速度は遅くなる。この設定１を用いて撮影を行った場合には、手ブレによる影響を抑制することはできないが、画質の低下を抑制した画像を取得する場合に適している。この場合、それぞれの設定における変動範囲の下限が予め設定されていることから、夜間撮影等、シャッター速度を遅くして撮影を行う場合には、撮影感度の設定を設定１にし、明るい環境条件下など、シャッター速度を速くして撮影を行う場合には、撮影感度の設定を設定２にすればよい。これにより、撮影感度の設定を変更することで、ユーザの意図した露出条件下での撮影を容易に選択できることになる。なお、撮影感度の変動範囲を変更する場合、設定２における撮影感度Ｓ２の変動範囲の下限を、設定１における撮影感度Ｓ１の上限以下に設定することも可能である。この場合も、ファンクションボタン４８の操作によって撮影感度の設定を変更しただけでは、適切な露出条件を得られない場合には、設定１、設定２の撮影感度を用いずに、適切な露出条件となるように撮影感度を引き上げることも可能である。
【００４７】
［実施例３］
実施例３は、ファンクションボタン４８の操作による撮影感度の変動範囲の変更に併せて、高感度ＮＲ処理の有無を変更する場合について説明する。
【００４８】
上述したように、デジタルカメラによっては、高感度ＮＲ処理を実行する撮影感度を設定することで、設定された撮影感度以上の撮影感度での撮影において、高感度ＮＲ処理を実行することが可能となる。図６に示すように、例えば設定１における撮影感度Ｓ１の変動範囲をＩＳＯ１００≦Ｓ１≦ＩＳＯ４００、設定２における撮影感度Ｓ１の変動範囲をＩＳＯ４００＜Ｓ２≦ＩＳＯ６４００とし、撮影時の撮影感度がＩＳＯ４００を超えたとき（撮影時の撮影感度をＳとした場合、Ｓ＞ＩＳＯ４００となる場合）に高感度ＮＲ処理が実行される場合について説明する。
【００４９】
例えば撮影感度の設定が設定２となる場合、設定２での撮影感度Ｓ２の変動範囲は、ＩＳＯ４００＜Ｓ２≦ＩＳＯ６４００となることから、設定２を用いた撮影において得られる画像に対して高感度ＮＲ処理が実行される。この高感度ＮＲ処理は上述した画像処理部３５において輪郭補償、ガンマ補正、ホワイトバランス調整等の画像処理に合わせて行われることから、１つの画像に要する画像処理時間がかかり、次の撮影を行えるまでの時間がかかることから、連写撮影する際の単位時間当たりの撮影画像数が少なくなる。
【００５０】
一方、撮影感度の設定が設定１の場合、設定１での撮影感度Ｓ１の変動範囲は、ＩＳＯ１００≦Ｓ１≦ＩＳＯ４００となることから、設定１を用いた撮影において得られる画像に対しては、高感度ＮＲ処理は実行されない。設定１を用いた撮影の場合には、高感度ＮＲ処理は実行されないことから、画像処理部３５における画像処理に要する画像処理時間は短くなることから、例えば連写撮影する際の単位時間当たりの撮影画像数が多くなる。これによれば、撮影感度の設定を変更する際に、高感度ＮＲ処理を実行するか否かも変更することが可能となる。
【００５１】
なお、従来のデジタルカメラにおいては、高感度ＮＲ処理を実行する設定になっている場合には、高感度ＮＲ処理が実行される撮影感度で撮影された画像に対しては高感度ＮＲ処理が実行され、高感度ＮＲ処理が実行されない撮影感度で撮影された画像に対しては、高感度ＮＲ処理が実行される時間だけ次の処理が遅延されていたが、撮影感度を設定１、設定２を変更することで、高感度ＮＲ処理を実行するか否かをも変更することができるので、高感度ＮＲ処理を実行しない設定である設定１を用いた撮影においては、上述した高感度ＮＲ処理が実行される時間分次の処理を遅延する必要がなくなる。
【００５２】
［実施例４］
実施例４は、ファンクションボタン４８の操作により撮影感度の変動範囲の変更に併せて、実行される高感度ＮＲ処理の強弱を変更する場合について説明する。デジタルカメラにおいては、上述した高感度ＮＲ処理を実行する撮影感度の設定の他に、高感度ＮＲ処理の強弱を設定することできる場合がある。図７に示すように、設定１における撮像感度Ｓ１の変動範囲をＩＳＯ１００≦Ｓ１≦ＩＳＯ８００とし、設定２における撮影感度Ｓ２の変動範囲をＩＳＯ８００＜Ｓ２≦ＩＳＯ６４００とする。また、撮影感度ＳがＩＳＯ４００を超えた撮影に対して高感度ＮＲ処理が実行され、さらに撮影感度ＳがＩＳＯ４００＜Ｓ≦ＩＳＯ８００の撮影に対する高感度ＮＲ処理を弱とし、撮影感度ＳがＩＳＯ８００＜Ｓ≦ＩＳＯ６４００の撮影に対する高感度ＮＲ処理を強とする。
【００５３】
例えば設定１を用いた撮影では、撮影感度Ｓ１はＳ１≦ＩＳＯ４００の範囲内での撮影では得られた画像に対して高感度ＮＲ処理は実行されないが、撮影感度がＩＳＯ４００＜Ｓ≦ＩＳＯ８００の範囲での撮影では得られた画像に対しては高感度ＮＲ処理が弱の設定で実行される。一方、設定２を用いた撮影では、撮影感度Ｓ２における変動範囲はＩＳＯ８００＜Ｓ≦ＩＳＯ６４００となることから、設定２を用いた撮影においては、得られる画像に対しては、高感度ＮＲ処理が強の設定で実行される。これにより、撮影感度の変更に合わせて高感度ＮＲ処理の設定も変更されることになる。
【００５４】
本実施形態では、撮影感度を変更する機能をファンクションボタン４８に割り当て、ファンクションボタン４８の操作により、撮影感度を変更するようにしたが、これに限定する必要はなく、新たに撮影感度を変更するために操作される操作部材をデジタルカメラに設けることも可能である。
【００５５】
また、この他に、例えばシャッター速度を変更する際に操作されるシャッター速度操作部材を設け、この操作部材の操作によるシャッター速度の変更に連動して、撮影感度の設定を変更することも可能である。図８に示すように、シャッター速度が１／１００以下となるときの撮影感度の設定を設定１とし、シャッター速度が１／１００を超過するときの撮影感度の設定を設定２とし、シャッター速度の変更に併せて撮影感度の設定を設定１と設定２の間で変更する。なお、設定１と設定２との間で撮影感度を変更する内容としては、撮影感度の上限を変更する他に、撮影感度の変動範囲を変更することが挙げられる。
【００５６】
この場合、シャッター速度に応じて、撮影感度の設定を変更するだけでなく、単写撮影を行うか連写撮影を行うかの設定も切り換えられるようにすることも可能である。シャッター速度を上げる場合には、撮影感度を上げることから、このような場合には連写撮影を行う設定に変更する。一方、シャッター速度を下げる場合には、撮影感度を下げることから、このような場合には、単写撮影を行う設定に変更する。
【００５７】
例えば投手がマウンドをならしている場合には投手の動きも小さいことから、シャッター速度を下げた設定にて撮影を行い、投手が投球モーションに入った場合には投手の動きが大きく、投手の各部の動きが速くなることから、シャッター速度を上げた設定で連続撮影を行うことが多い。このようにシャッター速度の変更に併せて、撮影感度の変更や、単写撮影を行うか連写撮影を行うかの変更も行えるようにしておけば、動きがある被写体の動作に応じて瞬時に撮影モードを変更するができるので、ユーザの意図する撮影タイミングを逃すことなく、撮影を行うことができる。
【図面の簡単な説明】
【００５８】
【図１】デジタルカメラの構成を示す機能ブロックである。
【図２】撮影時の処理の流れを示すフローチャートである。
【図３】ファンクションボタンの操作により撮影感度の上限を変更する場合における、設定１及び設定２における撮影感度の上限をそれぞれ示す説明図である。
【図４】設定１及び設定２の両方の設定において適正露光を行えないときに、撮影感度の上限を引き上げる場合の、設定１、設定２及び自動的に引き上げられる撮影感度の上限をそれぞれ示す説明図である。
【図５】ファンクションボタンの操作により撮影時の撮影感度の変動範囲を変更する場合における、設定１及び設定２における撮影感度の変動範囲をそれぞれ示す説明図である。
【図６】ファンクションボタンの操作により撮影時の撮影感度の変動範囲を変更する他に、高感度ＮＲ処理を実行するか否かを変更する場合における、設定１及び設定２の撮影感度の変動範囲と、高感度ＮＲ処理が行われる撮影感度を示す説明図である。
【図７】ファンクションボタンの操作により撮影時の撮影感度の変動範囲を変更する他に、高感度ＮＲ処理の強弱を変更する場合の説明図である。
【図８】シャッター速度と、撮影感度の設定との相関を示す説明図である。
【符号の説明】
【００５９】
１０…デジタルカメラ、１６…撮像素子、２３…絞り、２５…シャッター機構、３５…画像処理部、４５…測光センサ、４８…ファンクションボタン、５０…ＣＰＵ、５１…ＡＥ処理部、５２…ＡＦ処理部
【図１】
2009188879.tif 000003
【図２】
2009188879.tif 000004
【図３】
2009188879.tif 000005
【図４】
2009188879.tif 000006
【図５】
2009188879.tif 000007
【図６】
2009188879.tif 000008
【図７】
2009188879.tif 000009
【図８】
2009188879.tif 000010